(57)【要約】【課題】専門知識を有しない一般ユーザでも複数の照明器具についてのグループ設定を容易に行うことができる照明器具のグループ設定方法を提供する。【解決手段】照明器具のグループ設定方法は、固有の識別情報を含む光出力パターンをそれぞれ有する複数の照明器具についてグループを設定する方法である。まず、撮像部を有する端末装置で複数の照明器具のうち第１の照明器具を撮影して（Ｓ１０）、その光出力パターンから前記第１の照明器具の識別情報を特定し（Ｓ１２）、続いて端末装置で複数の照明器具のうち第２の照明器具を撮影して（Ｓ１４）、その光出力パターンから前記第２の照明器具の識別情報を特定し、かつ、前記第２の照明器具のグループ情報を特定する（Ｓ１６）。そして、第１の照明器具に、第２の照明器具と同じグループ情報を設定する（Ｓ１８）。【選択図】図３
2020035574.tif 000002
【特許請求の範囲】
【請求項１】
固有の識別情報を含む光出力パターンをそれぞれ有する複数の照明器具についてグループを設定する方法であって、
撮像部を有する端末装置で前記複数の照明器具のうち第１の照明器具を撮影して、その光出力パターンから前記第１の照明器具の識別情報を特定し、
続いて前記端末装置で前記複数の照明器具のうち第２の照明器具を撮影してその光出力パターンから前記第２の照明器具の識別情報を特定し、かつ、前記第２の照明器具のグループ情報を特定し、
前記第１の照明器具に、前記第２の照明器具と同じグループ情報を設定する、
照明器具のグループ設定方法。
【請求項２】
前記端末装置で前記複数の照明器具のうち第３の照明器具を撮影してその光出力パターンから前記第３の照明器具の識別情報を特定し、
続いて前記端末装置で前記第１または第２の照明器具を撮影してその光出力パターンから前記第１または第２の照明器具のグループ情報を特定し、前記第３の照明器具に前記第１または第２の照明器具と同じグループ情報を設定する、請求項１に記載の照明器具のグループ設定方法。
【請求項３】
前記第１の照明器具と前記第２の照明器具は同一の照明器具である、請求項１に記載の照明器具のグループ設定方法。
【請求項４】
固有の識別情報を含む光出力パターンをそれぞれ有する複数の照明器具と、
前記複数の照明器具にグループ情報を関連付けて記憶するデータベースを含む照明制御装置と、
撮像部を有し、前記撮像部で撮影した照明器具の光出力パターンから当該照明器具の識別情報を特定し、かつ、当該照明器具の識別情報にグループ情報を関連付けて前記データベースに記憶させる端末装置と、を備える照明システムであって、
前記端末装置は、
前記複数の照明器具のうち第１の照明器具が撮影されたときその光出力パターンから前記第１の照明器具の識別情報を特定し、
続いて前記複数の照明器具のうち第２の照明器具が撮影されたときその光出力パターンから前記第２の照明器具の識別情報を特定し、かつ、前記第２の照明器具のグループ情報を特定し、
前記第１の照明器具に前記第２の照明器具と同じグループ情報を関連付けて前記データベースに記憶させる、
照明システム。
【請求項５】
前記端末装置は、前記複数の照明器具のうち第３の照明器具が撮影されたときその光出力パターンから前記第３の照明器具の識別情報を特定し、続いて前記第１または第２の照明器具が撮影されたときその光出力パターンから前記第１または第２の照明器具のグループ情報を特定し、前記第３の照明器具に前記第１または第２の照明器具と同じグループ情報を関連付けて前記データベースに記憶させる、請求項４に記載の照明システム。
【請求項６】
前記第１の照明器具と前記第２の照明器具は同一の照明器具である、請求項４に記載の照明システム。
【発明の詳細な説明】
【技術分野】
【０００１】
本開示は、照明器具のグループ設定方法、及び、照明システムに関する。
【背景技術】
【０００２】
従来、例えば、特許文献１には、固有の識別ＩＤがそれぞれ割り当てられた複数の照明器具と、複数の照明器具を制御するコントローラとを備えた照明システムが記載されている。この照明システムにおいて、コントローラは、各照明器具に対して場所アドレスとグループアドレスとを割り当てて各識別ＩＤに対応付けて記憶し、各照明器具に割り当てられたグループアドレスに基づいて複数の照明器具をグループごとに一括で動作制御することが記載されている。
【先行技術文献】
【特許文献】
【０００３】
【特許文献１】特開２０１１−２３８５６３号公報
【発明の概要】
【発明が解決しようとする課題】
【０００４】
複数の照明器具をグループ設定してグループごとに一括で動作制御する場合、各照明器具について事前にグループ設定を行う必要がある。この場合、照明器具自体や複数の照明器具を含む照明システムに関する専門知識を有しない一般ユーザでも、複数の照明器具についてのグループの設定や変更を容易に行えるようにすることが好ましい。
【０００５】
本開示の目的は、専門知識を有しない一般ユーザでも複数の照明器具についてのグループ設定を容易に行うことができる照明器具のグループ設定方法、および、照明システムを提供することにある。
【課題を解決するための手段】
【０００６】
本開示の一態様である照明器具のグループ設定方法は、固有の識別情報を含む光出力パターンをそれぞれ有する複数の照明器具についてグループを設定する方法であって、撮像部を有する端末装置で複数の照明器具のうち第１の照明器具を撮影して、その光出力パターンから第１の照明器具の識別情報を特定し、続いて端末装置で複数の照明器具のうち第２の照明器具を撮影してその光出力パターンから第２の照明器具の識別情報を特定し、かつ、第２の照明器具のグループ情報を特定し、第１の照明器具に、第２の照明器具と同じグループ情報を設定する。
【０００７】
また、本開示の別態様である照明システムは、固有の識別情報を含む光出力パターンをそれぞれ有する複数の照明器具と、複数の照明器具にグループ情報を関連付けて記憶するデータベースを含む照明制御装置と、撮像部を有し、撮像部で撮影した照明器具の光出力パターンから当該照明器具の識別情報を特定し、かつ、当該照明器具の識別情報にグループ情報を関連付けてデータベースに記憶させる端末装置と、を備える照明システムである。端末装置は、複数の照明器具のうち第１の照明器具が撮影されたときその光出力パターンから第１の照明器具の識別情報を特定し、続いて複数の照明器具のうち第２の照明器具が撮影されたときその光出力パターンから第２の照明器具の識別情報を特定し、かつ、第２の照明器具のグループ情報を特定し、第１の照明器具に第２の照明器具と同じグループ情報を関連付けてデータベースに記憶させる。
【発明の効果】
【０００８】
本開示に係る照明器具のグループ設定方法、および、照明システムによれば、専門知識を有しない一般ユーザでも複数の照明器具についてのグループ設定を容易に行うことができる。
【図面の簡単な説明】
【０００９】
【図１】一実施形態である照明システムの全体構成図である。
【図２】照明制御用データベースの一例を示す表である。
【図３】制御部において実行されるグループ設定処理を示すフローチャートである。
【図４】（ａ），（ｂ）は複数の照明器具のグループ設定手順を模式的に示す図である。
【図５】図２に示した対応表において、各照明器具にグループ情報が割り当てられた一例を示す図である。
【図６】図２に示した対応表において、各照明器具にグループ情報が割り当てられた別の例を示す図である。
【図７】６つの照明器具が３つのグループに設定されている部屋の模式図である。
【図８】スマートフォンに表示されたグループ別操作画面を示す図である。
【図９】図７に示した６つの照明器具が３つのグループに設定されている照明制御用データベースの例を示す図である。
【図１０】スマートフォンに表示されたシーン別操作画面を示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、一実施形態である照明システム１０の全体構成図である。照明システム１０は、複数の照明器具Ｌ１，Ｌ２，・・・，Ｌｎ（ここでｎは３以上の整数）と、照明制御装置１２と、端末装置の一例であるスマートフォン１４とを備える。
【００１２】
複数の照明器具Ｌ１，Ｌ２，・・・，Ｌｎは、例えば、住宅の部屋の天井や壁などに設置されている。各照明器具Ｌ１，Ｌ２，・・・，Ｌｎは、それぞれ、通信部２０、制御部２２、及び、光源２４を備えている。
【００１３】
照明器具Ｌ１，Ｌ２，・・・，Ｌｎの通信部２０は、照明制御装置１２との間で無線通信を行う機能を有する。通信部２０と照明制御装置１２との間の通信方式には、例えば、ブルートゥース（ＢｌｕｅＴｏｏｔｈ（登録商標））が好適に用いられる。
【００１４】
照明器具Ｌ１，Ｌ２，・・・，Ｌｎの制御部２２は、照明制御装置１２から制御信号等に基づいて光源２４の点灯状態を制御する機能を有する。光源２４の点灯状態には、点灯、調光、調色、消灯などの動作状態が含まれる。光源２４は、例えば、ＬＥＤ等によって構成される。光源２４は、制御部２２によって電力供給などが制御されることで、点灯、調光、調色、消灯などの動作状態が変更される。
【００１５】
また、各照明器具Ｌ１，Ｌ２，・・・，Ｌｎの制御部２２は記憶部を有しており、記憶部に照明器具Ｌ１，Ｌ２，・・・，Ｌｎに割り当てられた固有の識別情報が予め記憶されている。この識別情報は、例えば、シリアル番号であってもよい。制御部２２は、固有の識別情報を含む光出力パターンで光源２４を点滅制御することができる。図１に示す例では、照明器具Ｌ１は、固有の識別情報を含む光出力パターン１で発光することが可能であり、照明器具Ｌ２は、固有の識別情報を含む光出力パターン２で発光することが可能である。このような光出力パターンによる情報通信は光ＩＤ通信とも呼ばれ、人間の視覚では認識できないが、スマートフォン１４のカメラ部（撮像部）で撮影して解析することによって光出力パターンに含まれる情報を読み取ることができる。
【００１６】
照明制御装置１２は、通信部３０、制御部３２、及び、照明制御用のデータベース３４を備えている。通信部３０は、上述したように各照明器具Ｌ１，Ｌ２，・・・，Ｌｎとの間で無線通信を行う機能を有する。また、通信部３０は、無線ＬＡＮルータ４０を介してスマートフォン１４と無線通信する機能を有する。無線ＬＡＮルータ４０と照明制御装置１２およびスマートフォン１４との間の通信方式には、例えば、Ｗｉ-Ｆｉ（登録商標）が好適に用いられる。
【００１７】
なお、本実施形態では、無線ＬＡＮルータ４０を介して照明制御装置１２とスマートフォン１４が通信する例を示すが、これに限定されるものではない。照明制御装置１２とスマートフォン１４は直接に無線通信を行ってもよく、この場合には無線ＬＡＮルータが省略されてもよい。
【００１８】
照明制御装置１２の制御部３２は、通信部３０を介して照明器具Ｌ１，Ｌ２，・・・，Ｌｎに制御信号を送信することができる。この場合、制御部３２は、複数の照明器具Ｌ１，Ｌ２，・・・，Ｌｎについてグループごとに点灯状態を制御することができる。複数の照明器具Ｌ１，Ｌ２，・・・，Ｌｎについてグループ設定については後述する。
【００１９】
また、制御部３２は、スマートフォン１４から各照明器具Ｌ１，Ｌ２，・・・，Ｌｎの識別情報を収集する指令を受けた場合、通信部２０を介して各照明器具Ｌ１，Ｌ２，・・・，Ｌｎに識別情報要求信号を送信する。この信号を受信した各照明器具Ｌ１，Ｌ２，・・・，Ｌｎは、通信部２０を介して照明制御装置１２に自己の識別情報を含む信号を送信する。照明制御装置１２の制御部３２は、各照明器具Ｌ１，Ｌ２，・・・，Ｌｎから受信した識別情報信号を無線ＬＡＮルータ４０を介してスマートフォン１４に送信する。
【００２０】
スマートフォン１４は、現在広く普及している携帯可能な端末装置であり、通信部５０、制御部５２、及び、カメラ部（撮像部）５４を備えている。通信部５０は、無線ＬＡＮルータ４０を介して照明制御装置１２と通信する。また、通信部５０は、無線ＬＡＮルータ４０からインターネット等の外部通信網６０に接続することができる。スマートフォン１４は、通信部５０を介して外部通信網６０から照明制御用アプリケーションをダウンロードしてインストールすることができる。照明制御用アプリケーションは、例えば、照明システム１０のメーカ等によって提供される。
【００２１】
なお、本実施形態ではスマートフォン１４を端末装置として用いた例について説明するが、これに限定されるものではなく、端末装置として例えば、タブレット、パソコン、専用のリモコンなどが用いられてもよい。
【００２２】
制御部５２は、インストールした照明制御用アプリケーションを実行することによって、照明システム１０に含まれる照明器具Ｌ１，Ｌ２，・・・，Ｌｎの点灯状態を制御することができ、また、後述するように照明器具Ｌ１，Ｌ２，・・・，Ｌｎについてグループ設定を行うことができる。
【００２３】
カメラ部５４は、画像を撮影する機能を有する。カメラ部５４によって撮影された画像は、制御部５２に伝送される。制御部５２は、光出力パターンを含む照明光を出射する照明器具Ｌ１，Ｌ２，・・・，Ｌｎの画像を解析することによって、その光出力パターンに含まれる識別情報を読み取ることができる。制御部５２によって読み取った識別情報は、制御部５２に備えられる記憶部に記憶されるとともに、通信部５０から無線ＬＡＮルータ４０を介して照明制御装置１２の照明制御用データベース３４に記憶される。
【００２４】
次に、上記構成からなる照明システム１０におけるグループ設定動作について説明する。図２は、照明制御用データベースの一例を示す表である。下記では、照明システム１０を使用するユーザ（例えば、住宅の住人など）は、スマートフォン１４を用いて照明制御用アプリケーションをダウンロードおよびインストールすることができる。
【００２５】
スマートフォン１４で照明制御用アプリケーションを実行すると、まず、スマートフォン１４の表示部１５（図４参照）には照明器具Ｌ１，Ｌ２，・・・，Ｌｎの識別情報を収集するための識別情報収集画面（図示せず）が表示される。ユーザは、この識別情報収集画面での操作によって、室内に設置された複数の照明器具Ｌ１，Ｌ２，・・・，Ｌｎの各識別情報を取得することができる。
【００２６】
具体的には、ユーザ操作に応じてスマートフォン１４から無線ＬＡＮルータ４０を介して照明制御装置１２に識別情報要求信号が送信される。この識別情報要求信号を通信部３０で受信した照明制御装置１２は、通信部３０から各照明器具Ｌ１，Ｌ２，・・・，Ｌｎに対して識別情報要求信号を送信する。
【００２７】
識別情報要求信号を通信部２０でそれぞれ受信した照明器具Ｌ１，Ｌ２，・・・，Ｌｎは、通信部２０から照明制御装置１２に対して各々の制御部２２の記憶部に記憶されている固有の識別情報信号を返信する。各照明器具Ｌ１，Ｌ２，・・・，Ｌｎの識別情報信号を通信部３０で受信した照明制御装置１２は、照明制御用データベース３４に記憶するとともに、通信部３０から無線ＬＡＮルータ４０を介してスマートフォン１４に送信する。
【００２８】
各照明器具Ｌ１，Ｌ２，・・・，Ｌｎからの識別情報信号を受信したスマートフォン１４の表示部１５には、各照明器具Ｌ１，Ｌ２，・・・，Ｌｎの識別情報が表示される。ここでは、４つの照明器具Ｌ１，Ｌ２，Ｌ３，Ｌ４が室内に設置されている場合が例示されている。この場合の識別情報は、複数（ここでは７つ）の数字が連なったシリアル番号が用いられる例が示される。なお、照明器具Ｌ１，Ｌ２，・・・，Ｌｎの固有の識別情報は、数字で表されるシリアル番号に限定されるものではなく、例えば、アルファベット等の記号で特定されてもよいし、数字と記号の組み合わせによって特定されてもよい。
【００２９】
図２に示すように、スマートフォン１４の表示部１５には、各照明器具Ｌ１，Ｌ２，Ｌ３，Ｌ４のシリアル番号が表形式で表示される。このとき、各照明器具Ｌ１，Ｌ２，Ｌ３，Ｌ４についてグループ設定が未だされていないため、各照明器具Ｌ１，Ｌ２，Ｌ３，Ｌ４の欄は空欄になっている。なお、図２に示したものと同様の対応表が、照明制御装置１２の照明制御用データベース３４にも記憶されている。
【００３０】
図３は、スマートフォン１４の制御部５２において実行されるグループ設定処理を示すフローチャートである。図４（ａ），（ｂ）は複数の照明器具Ｌ１〜Ｌ４のグループ設定手順を模式的に示す図である。
【００３１】
図３に示したグループ設定処理は、照明制御用アプリケーションをインストールしたスマートフォン１４の制御部５２において実行される。まず、制御部５２は、ステップＳ１０において、点灯状態にある第１の照明器具の撮影を実行する。このとき、スマートフォン１４の表示部１５には、図４（ａ）に示すように、グループを設定したい照明器具の選択（すなわちカメラ部５４での撮影）をユーザに促すための画面が表示される。ここでは、第１の照明器具として照明器具Ｌ１が選択された場合を例示する。
【００３２】
カメラ部５４が起動状態にあるスマートフォン１４が照明器具Ｌ１に向けられて「選択」ボタンがタップされると、スマートフォン１４のカメラ部５４は照明器具Ｌ１を撮影して、その画像を制御部５２に伝送する。制御部５２は、図３に示すように、ステップＳ１２において、照明器具Ｌ１の画像を解析して、その照明光に含まれる光出力パターン１から照明器具Ｌ１に割り当てられている固有の識別情報（本実施形態ではシリアル番号）を特定する。
【００３３】
続いて、制御部５２は、ステップＳ１４において、点灯状態にある第２の照明器具の撮影を実行する。このとき、スマートフォン１４の表示部１５には、図４（ｂ）に示すように、例えば「グループ先の照明器具の選択」と表示して、先に撮影した照明器具Ｌ１をどのグループに設定したいかをユーザに選択させる。ここでは、ユーザが先に撮影した照明器具Ｌ１を、次に選択した照明器具Ｌ２と同じグループとしたいと思っている場合が例示される。
【００３４】
カメラ部５４が起動状態にあるスマートフォン１４が照明器具Ｌ２に向けられて「選択」ボタンがタップされると、スマートフォン１４のカメラ部５４は照明器具Ｌ２を撮影して、その画像を制御部５２に伝送する。制御部５２は、図３に示すように、ステップＳ１６において、照明器具Ｌ２の画像を解析して、その照明光に含まれる光出力パターン２から照明器具Ｌ２に割り当てられている固有の識別情報（本実施形態ではシリアル番号）と、第２の照明器具である照明器具Ｌ２の識別情報と、グループ情報を特定する。
【００３５】
具体的には、制御部５２は、照明器具Ｌ２の光出力パターン２の解析から照明器具Ｌ２のシリアル番号を特定することができる。また、制御部５２は、解析により取得したシリアル番号を元に制御部５２の記憶部に記憶されている対応表を参照することで照明器具Ｌ２のグループ情報を特定する。この場合、図２に示すように、照明器具Ｌ２のグループ情報は未設定または未登録となっているため、制御部５２は未使用のグループ情報である例えば「Ａ」を照明器具Ｌ２に割り当てる。なお、グループ情報は、アルファベットに限定されるものではなく、数字、記号、数字と記号の組み合わせ等であってもよい。
【００３６】
続いて、制御部５２は、ステップＳ１８において、第１の照明器具に、第２の照明器具と同じグループ情報を設定する。具体的には、上記のようにして特定された照明器具Ｌ２のグループ情報「Ａ」と同じグループ情報を照明器具Ｌ１のグループ情報として割り当てる。これにより、先に撮影された照明器具Ｌ１が、次に撮影された照明器具Ｌ２と同じグループに設定される。換言すれば、奇数回目に撮影された照明器具が、次の偶数回目に撮影された照明器具と同じグループに設定される。
【００３７】
このようにして照明器具Ｌ１，Ｌ２について設定されたグループ情報は、スマートフォン１４の通信部５０から無線ＬＡＮルータ４０を介して照明制御装置１２に送信され、照明制御装置１２の照明制御用データベース３４に各照明器具Ｌ１，Ｌ２のシリアル番号に関連付けて記憶される。具体的には、照明制御用データベース３４では、図５に示すように、照明器具Ｌ１，Ｌ２のグループ情報として「Ａ」が設定される。
【００３８】
続いて、ユーザは、４つの照明器具Ｌ１〜Ｌ４のうち残りの照明器具Ｌ３，Ｌ４についても同様にグループ設定を行うことができる。具体的には、ユーザは、次にグループ設定したい照明器具Ｌ３をスマートフォン１４のカメラ部５４で撮影し、続いてグループ先として設定したい（すなわち同じグループとして登録したい）照明器具Ｌ４をスマートフォン１４のカメラ部５４で撮影する。
【００３９】
この場合、４回目（すなわち偶数回目）に撮影された照明器具Ｌ４はグループ情報が未設定であるため、制御部５２は、未使用のグループ情報として「Ｂ」を照明器具Ｌ４に割り当てる。そして、制御部５２は、このように特定された照明器具Ｌ３と同じグループ情報「Ｂ」を、その前の３回目（すなわち奇数回目）に撮影された照明器具Ｌ３のグループ情報として設定する。
【００４０】
続いて、制御部５２は、図５に示すように、上記のようにして特定された照明器具Ｌ３，Ｌ４のグループ情報「Ｂ」を照明制御装置１２の照明制御用データベース３４に記憶させる。また、制御部５２は、内蔵する記憶部にも図５に示したのと同様の対応表を記憶してもよい。
【００４１】
上記のようにして照明器具Ｌ１〜Ｌ４について、最初のグループ分け（すなわちグループ初期設定）を行うことができる。ただし、複数の照明器具Ｌ１，Ｌ２，・・・，Ｌｎについてのグループ初期設定は、これに限定されるものではなく、別の手順で行われてもよい。例えば、ユーザが同じグループに設定したい２つ以上の照明器具を連続して撮影して同じグループ情報を手入力で設定してもよい。
【００４２】
図６は、図２に示した対応表において、各照明器具にグループ情報が割り当てられた別の例を示す図である。この例では、照明器具Ｌ１，Ｌ２，Ｌ３がグループＡとして設定され、照明器具Ｌ４がグループＢとして設定されている。
【００４３】
図６に示すような照明器具Ｌ１〜Ｌ４のグループ初期設定は、次のようにして行うことができる。すなわち、照明器具Ｌ１，Ｌ２のグループ設定は、図３ないし図５を参照して上述したのと同様である。
【００４４】
続いて、ユーザは、３回目の撮影として照明器具Ｌ３を撮影し、続く４回目の撮影として照明器具Ｌ１またはＬ２を撮影する。この場合、照明器具Ｌ１，Ｌ２については１回目および２回目の撮影によってグループ情報「Ａ」が既に設定されているため、制御部５２は、３回目に撮影された照明器具Ｌ３のグループ情報として、４回目に撮影された照明器具Ｌ１またはＬ２のグループ情報「Ａ」を割り当てて設定する。これにより、照明器具Ｌ１〜Ｌ３が同じグループＡに設定される。
【００４５】
続いて、ユーザは、５回目の撮影として照明器具Ｌ４を撮影し、６回目の撮影として同一の照明器具Ｌ４を撮影する。このように奇数回目と次の偶数回目で同じ照明器具Ｌ４を撮影すれば、図３に示したグループ設定処理にしたがって１つの照明器具Ｌ４が１つだけのグループＢとして設定されることになる。
【００４６】
このようにして図６に示すように照明器具Ｌ１〜Ｌ３がグループＡに設定され、照明器具Ｌ４だけがグループＢに設定されて、照明制御用データベース３４に記憶される。
【００４７】
上述したように、本実施形態の照明システム１０におけるグループ設定方法は、固有の識別情報を含む光出力パターンをそれぞれ有する複数の照明器具Ｌ１，Ｌ２，・・・，Ｌｎについてグループを設定する方法である。このグループ設定方法では、カメラ部５４を有するスマートフォン１４で複数の照明器具のうち第１の照明器具を撮影して、その光出力パターンから前記第１の照明器具の識別情報を特定する。続いて、前記端末装置で前記複数の照明器具のうち第２の照明器具を撮影してその光出力パターンから第２の照明器具の識別情報を特定し、かつ、第２の照明器具のグループ情報を特定する。そして、第１の照明器具に、前記第２の照明器具と同じグループ情報を設定する。このグループ設定方法及びこれを実行する照明システム１０によれば、専門知識を有しない一般ユーザ（例えば、住宅の住人など）でも複数の照明器具Ｌ１，Ｌ２，・・・，Ｌｎについてのグループ設定を容易に行うことができる。
【００４８】
この場合、スマートフォン１４で複数の照明器具のうち第３の照明器具を撮影してその光出力パターンから第３の照明器具の識別情報を特定し、続いてスマートフォン１４で第１または第２の照明器具を撮影してその光出力パターンから第１または第２の照明器具のグループ情報を特定し、第３の照明器具に第１または第２の照明器具と同じグループ情報を設定する。これにより、第３の照明器具を先にグループ設定された第１または第２の照明器具と同じグループに設定することができ、専門知識を有しない一般ユーザでも複数の照明器具Ｌ１，Ｌ２，・・・，Ｌｎについてのグループ設定を容易に行うことができる。
【００４９】
また、本実施形態の照明器具のグループ設定方法およびこれを実行する照明システム１０では、第１の照明器具と第２の照明器具は同一の照明器具であってもよい。これにより、専門知識を有しない一般ユーザでも複数の照明器具Ｌ１，Ｌ２，・・・，Ｌｎについてのグループ設定を行う場合に、１つの照明器具だけを含むグループ設定を容易に行うことができる。
【００５０】
次に、図７〜図１０を参照して、照明器具のグループの設定変更について説明する。図７は、６つの照明器具Ｌ１〜Ｌ６が３つのグループＡ，Ｂ，Ｃに設定されている部屋Ｒの模式図である。図８は、スマートフォン１４に表示されたグループ別操作画面を示す図である。図９は、図７に示した６つの照明器具Ｌ１〜Ｌ６が３つのグループＡ，Ｂ，Ｃに設定されている照明制御用データベース３４の例を示す図である。
【００５１】
図７に示す例では、１つの部屋Ｒの天井に６つの照明器具Ｌ１〜Ｌ６が設置されている。上面視で長方形状をなす天井の中央領域に２つの照明器具Ｌ１，Ｌ２が並んで設置されて同じグループＡに設定されている。長方形状をなす天井において長手方向一方側に位置する２つの角部には、照明器具Ｌ３，Ｌ６が設置されて同じグループＢに設定されている。また、長方形状をなす天井において長手方向他方側に位置する２つの角部には、照明器具Ｌ４，Ｌ５が設置されて同じグループＣに設定されている。これらの６つの照明器具Ｌ１〜Ｌ６のグループ設定には、図３〜５を参照して上述したグループ設定方法を用いることができる。
【００５２】
ユーザは、スマートフォン１４を用いて照明器具Ｌ１〜Ｌ６をグループごとに点灯動作させることができる。照明制御用アプリケーションをインストールしたスマートフォン１４の表示部１５に、図８に示すような操作画面を表示させることができる。この操作画面では、グループＡ用操作ボタン７０、グループＢ用操作ボタン７２、グループＣ用操作ボタン７４、点灯ボタン７６、及び、消灯ボタン７８が表示されている。
【００５３】
ユーザは、点灯させたい１つ又は複数の操作ボタン７０，７２，７４をタップにより選択して点灯ボタン７６をタップすると、選択されたグループに対応する照明器具が点灯する。具体的には、例えば、ユーザによってグループＡ用操作ボタン７０が選択された後に点灯ボタン７６がタップされたとき、スマートフォン１４から無線ＬＡＮルータ４０を介して照明制御装置１２にグループＡの点灯指令信号が送信される。これを受信した照明制御装置１２は、各照明器具Ｌ１〜Ｌ６に向けて、照明器具Ｌ１，Ｌの各シリアル番号と点灯指令とを含む制御信号を送信する。そうすると、照明器具Ｌ１，Ｌ２の制御部２２は、制御信号に自己のシリアル番号が含まれるため、光源２４を発光動作（すなわち点灯）させる。これに対し、他の照明器具Ｌ３〜Ｌ６は、制御信号に自己のシリアル番号が含まれないため、消灯状態（または点灯状態）を維持する。
【００５４】
ユーザによってグループＡ用操作ボタン７０が選択された後に消灯ボタン７８がタップされたとき、スマートフォン１４から無線ＬＡＮルータ４０を介して照明制御装置１２にグループＡの消灯指令信号が送信される。これを受信した照明制御装置１２は、各照明器具Ｌ１〜Ｌ６に向けて、照明器具Ｌ１，Ｌの各シリアル番号と消灯指令とを含む制御信号を送信する。そうすると、照明器具Ｌ１，Ｌ２の制御部２２は、制御信号に自己のシリアル番号が含まれるため、光源２４を消灯動作させる。これに対し、他の照明器具Ｌ３〜Ｌ６は、制御信号に自己のシリアル番号が含まれないため、点灯状態（または消灯状態）を維持する。
【００５５】
なお、他のグループＢ，Ｃの点灯操作および消灯操作についても同様であるため、説明を省略する。
【００５６】
このように図８に示した操作画面を用いて照明器具Ｌ１〜Ｌ６の点灯および消灯をグループごとに制御できるが、次にユーザが照明器具Ｌ１〜Ｌ６についてのグループ設定を変更する場合について説明する。図９に示すように、照明器具Ｌ１〜Ｌ６について、照明器具Ｌ１，Ｌ２がグループＡ、照明器具Ｌ３がグループＢ、照明器具Ｌ４，Ｌ５，Ｌ６がグループＣに設定されている場合を考える。この場合、照明器具Ｌ６は、図７に示すようにグループＢに設定されるべきところ誤ってグループＣに設定されてしまっている。
【００５７】
そこで、ユーザは、照明制御用アプリケーションがインストールされているスマートフォン１４を用いて照明器具Ｌ６のグループ設定を次のようにして変更することができる。ここでの詳しい説明は省略するが、図３〜図５を参照して上述したグループ設定方法と同様にして、照明器具Ｌ６のグループ設定変更を行うことができる。すなわち、ユーザは、１回目の撮影で現在、グループＣの設定となっている照明器具Ｌ６を撮影し、２回目の撮影で移行したいグループ先の照明器具Ｌ３を撮影する。これにより、制御部５２は、照明器具Ｌ６のグループ情報を、照明器具Ｌ３と同じグループ情報「Ｂ」に設定し直す。これにより、照明器具Ｌ６がグループＢに設定変更される。このように本実施形態の照明器具のグループ設定方法及びこれを実行する照明システム１０によれば、専門知識を有しない一般ユーザ（例えば、住宅の住人など）でも複数の照明器具Ｌ１，Ｌ２，・・・，Ｌｎについてのグループ設定変更を容易に行うことができる。
【００５８】
図１０は、スマートフォン１４に表示されたシーン別操作画面を示す図である。本実施形態の照明システム１０では、グループ設定された照明器具Ｌ１〜Ｌ６についてシーンを設定して点灯または消灯の操作を行うことができる。図１０に示すシーン別操作画面では、シーン１用操作ボタン８０、シーン２用操作ボタン８２、シーン３用操作ボタン８４、及び、シーン４用操作ボタン８６が表示されている。
【００５９】
例えば、シーン１として全てのグループＡ，Ｂ，Ｃの照明器具Ｌ１〜６を点灯させる「全点灯」モードに設定し、シーン２としてグループＡの照明器具Ｌ１，Ｌ２だけを点灯させる「第１くつろぎ」モード、シーン３としてグループＢ，Ｃの照明器具Ｌ３〜Ｌ６を点灯させる「第２くつろぎ」モード等に設定することができる。各シーン番号とグループ情報とは、照明制御装置１２の照明制御用データベース３４に対応づけて記憶させておくことができる。
【００６０】
なお、本開示に係る照明器具のグループ設定方法、および、照明システムは、上述した実施形態およびその変形例に限定されるものではなく、本願の特許請求の範囲に記載された事項の範囲内において種々の変更や改良が可能であることはもちろんである。
【符号の説明】
【００６１】
１０  照明システム、１２  照明制御装置、１４  スマートフォン（端末装置）、１  ５  表示部、２０，３０，５０  通信部、２２，３２，５２  制御部、２４  光源、３  ４  照明制御用データベース、４０  無線ＬＡＮルータ、５４  カメラ部（撮像部）、  ６０  外部通信網、７０  グループＡ用操作ボタン、７２  グループＢ用操作ボタン、  ７４  グループＣ用操作ボタン、７６  点灯ボタン、７８  消灯ボタン、８０  シーン  １用操作ボタン、８２  シーン２用操作ボタン、８４  シーン３用操作ボタン、８６    シーン４用操作ボタン、Ｌ１，Ｌ２，・・・，Ｌｎ  照明器具、Ｒ  部屋。
【図１】
2020035574.tif 000003
【図２】
2020035574.tif 000004
【図３】
2020035574.tif 000005
【図４】
2020035574.tif 000006
【図５】
2020035574.tif 000007
【図６】
2020035574.tif 000008
【図７】
2020035574.tif 000009
【図８】
2020035574.tif 000010
【図９】
2020035574.tif 000011
【図１０】
2020035574.tif 000012